(57)【要約】【課題】簡易な構成でサイマル放送をより確実に判定することができる放送受信装置を提供する。【解決手段】固定受信機向け放送と移動体向け放送の両方を受信することができる放送受信装置であって、字幕データが付加されていない番組を受信中である場合には、前記固定受信機向け放送の字幕データと前記移動体向け放送の字幕データとの同一性によってサイマル放送を判定し、前記字幕データが付加されておらず文字スーパーが付加されている番組を受信中である場合には、前記固定受信機向け放送の文字スーパーと前記移動体向け放送の文字スーパーとの同一性によってサイマル放送を判定するサイマル放送判定部１０９を備える放送受信装置。【選択図】図２
2012085076.tif 000002
【特許請求の範囲】
【請求項１】
固定受信機向け放送と移動体向け放送の両方を受信することができる放送受信装置において、
字幕データが付加されていない番組を受信中である場合には、前記固定受信機向け放送の字幕データと前記移動体向け放送の字幕データとの同一性によってサイマル放送を判定し、
前記字幕データが付加されておらず文字スーパーが付加されている番組を受信中である場合には、前記固定受信機向け放送の文字スーパーと前記移動体向け放送の文字スーパーとの同一性によってサイマル放送を判定するサイマル放送判定部を備えることを特徴する放送受信装置。
【請求項２】
前記サイマル放送判定部が、
前記固定受信機向け放送の字幕データと前記移動体向け放送の字幕データとの同一性、又は、前記固定受信機向け放送の文字スーパーと前記移動体向け放送の文字スーパーとの同一性を、ユーザに提示する時刻の時点で判定することを特徴とする請求項１に記載の放送受信装置。
【請求項３】
前記字幕データ又は前記文字スーパーをユーザに提示するためのフォント文字データに変換する変換部を備え、
前記サイマル放送判定部が、
前記固定受信機向け放送の字幕データと前記移動体向け放送の字幕データとの同一性、又は、前記固定受信機向け放送の文字スーパーと前記移動体向け放送の文字スーパーとの同一性を、前記ユーザに提示するためのフォント文字データを用いて判定することを特徴とする請求項１または請求項２に記載の放送受信装置。
【請求項４】
前記サイマル放送判定部が、
前記固定受信機向け放送の字幕データと前記移動体向け放送の字幕データとの同一性、又は、前記固定受信機向け放送の文字スーパーと前記移動体向け放送の文字スーパーとの同一性を判定する際に、前記字幕データ又は前記文字スーパーの表示色を比較対象に含めることを特徴とする請求項１〜３のいずれか１項に記載の放送受信装置。
【請求項５】
前記サイマル放送判定部が、
前記固定受信機向け放送の字幕データと前記移動体向け放送の字幕データとの同一性、又は、前記固定受信機向け放送の文字スーパーと前記移動体向け放送の文字スーパーとの同一性を、前記固定受信機向け放送と前記移動体向け放送で共通して運用されている文字データのみを用いて判定することを特徴とする請求項１〜４のいずれか１項に記載の放送受信装置。
【請求項６】
前記字幕データも前記文字スーパーも付加されていない番組を受信中である場合には、
前記サイマル放送判定部が、前記固定受信機向け放送の電子番組情報の現在番組情報と、前記移動体向け放送の電子番組情報の現在番組情報との同一性によってサイマル放送を判定することを特徴とする請求項１〜５のいずれか１項に記載の放送受信装置。
【請求項７】
電波受信状態を検出する受信状態検出部を備え、
前記固定受信機向け放送を受信中に、前記受信状態検出部によって検出された電波受信状態が所定の状態よりも良好でなくなったときに、前記サイマル放送判定部が前記サイマル放送の有無を判定し、前記サイマル放送が無いと判定された場合に、予めユーザによって設定された設定情報に応じた処理を実行することを特徴とする請求項１〜６のいずれか１項に記載の放送受信装置。
【請求項８】
固定受信機向け放送と移動体向け放送の両方を受信することができる放送受信装置に適用されるプログラムであって、
字幕データが付加されていない番組を受信中である場合には、前記固定受信機向け放送の字幕データと前記移動体向け放送の字幕データとの同一性によってサイマル放送を判定するステップと、
前記字幕データが付加されておらず文字スーパーが付加されている番組を受信中である場合には、前記固定受信機向け放送の文字スーパーと前記移動体向け放送の文字スーパーとの同一性によってサイマル放送を判定するステップとを、コンピュータに実現させるためのプログラム。
【発明の詳細な説明】
【技術分野】
【０００１】
本発明は、固定受信機向け放送と移動体向け放送の両方を受信することができる放送受信装置及び当該放送受信装置に適用されるプログラムに関する。
【背景技術】
【０００２】
現在、日本国内において放送されている地上デジタル放送は、固定受信機向け放送（フルセグ放送）と移動体向け放送（ワンセグ放送）とに大きく分かれている。一般的に、据え置き型のＴＶやＳＴＢ（セットトップボックス）等は固定受信機向け放送を受信し、携帯電話等は移動体向け放送を受信する。ところが、最近では自動車に搭載される車載ＳＴＢ、カーナビゲーションシステム等や、家庭にてポータブルに持ち運ばれることが想定される小型ＴＶ、ポータブルＤＶＤ機器等では、固定受信機向け放送と移動体向け放送の両方を受信することができる機能が事実上必須機能となってきている。
【０００３】
固定受信機向け放送に比べ、移動体向け放送は、弱い電波状態の中でも受信することが可能なような電波信号の仕組みになっている。このため、固定受信機向け放送と移動体向け放送の両方を受信することができる機能を備える放送受信装置では、一般的に、固定受信機向け放送が受信できないような受信電波が弱い状況になった場合に、受信対象を自動的に固定受信機向け放送から移動体向け放送に切り換えることで、視聴者が引き続き同じ番組（サイマル放送）を視聴することができるようにしている。
【０００４】
固定受信機向け放送と移動体向け放送とはそれぞれ同じ地上デジタル放送の一種である。しかしながら、固定受信機向け放送に割り当てられているどのチャンネルと移動体向け放送に割り当てられているどのチャンネルとが同じ番組を実施しているかという明確な情報が規定されておらず、放送受信装置において受信対象を自動的に固定受信機向け放送から移動体向け放送に切り換えたときに、別の番組を表示してしまうおそれがある。
【０００５】
このような課題を解決することができる放送受信装置として、特許文献１では、固定受信機向け放送用の電子番組情報と移動体向け放送用の電子番組情報とを取得し、取得した二つの電子番組情報を用いて番組内容（例えば、少なくとも放送番組名、放送ジャンル、放送時間の内の何れか一つ）の同一性に基づいてサイマル放送か否かを判定する放送受信装置が提案されている。
【先行技術文献】
【特許文献】
【０００６】
【特許文献１】特開２００７−３６８１５号公報（要約）
【特許文献２】特開２００９−１１８１３６号公報（段落００１８、第１図）
【特許文献３】特開２０１０−１２４１９９号公報（要約）
【発明の概要】
【発明が解決しようとする課題】
【０００７】
しかしながら、特許文献１において提案されている放送受信装置では、電子番組情報が使われており、例えば、野球などのスポーツ番組の放送時間延長や、緊急特別番組等により放送される番組が変更になった場合などに、電子番組情報の更新が遅れると、電子番組情報の内容と実際に放送されている番組コンテンツとが異なり、サイマル放送か否かの判定に支障をきたすことが考えられる。
【０００８】
また、（社）デジタル放送推進協会（Ｄｐａ）が２００７年１０月に発表している、「「簡易なチューナー」の機能等に関する検討結果」では、電子番組表機能は必須機能になっていない。電子番組表機能を実現するには大きなＲＯＭおよびＲＡＭ容量が必要となり、より安価な放送受信機を製造する上で障害となるため、電子番組表機能がサイマル放送か否かの判定に不可欠である構成すなわち特許文献１において提案されている放送受信装置の構成は好ましくない。
【０００９】
一方、特許文献２や特許文献３において提案されている放送受信装置では、上述した特許文献１において提案されている放送受信装置とは異なり、字幕データのみを用いてサイマル放送を判定している。ところが、現時点では、字幕データが放送されていない番組もあり、そのような番組に関するサイマル放送の判定が正常に動作しないことが、特許文献２や特許文献３において提案されている放送受信装置の課題として考えられる。
【００１０】
本発明は、上記の状況に鑑み、簡易な構成でサイマル放送をより確実に判定することができる放送受信装置及びプログラムを提供することを目的とする。
【課題を解決するための手段】
【００１１】
上記目的を達成するために本発明に係る放送受信装置は、固定受信機向け放送と移動体向け放送の両方を受信することができる放送受信装置であって、字幕データが付加されていない番組を受信中である場合には、前記固定受信機向け放送の字幕データと前記移動体向け放送の字幕データとの同一性によってサイマル放送を判定し、前記字幕データが付加されておらず文字スーパーが付加されている番組を受信中である場合には、前記固定受信機向け放送の文字スーパーと前記移動体向け放送の文字スーパーとの同一性によってサイマル放送を判定するサイマル放送判定部を備える構成とする。
【００１２】
このような構成によると、電子番組表機能が必須機能ではないので、簡易な構成にすることができる。また、このような構成によると、前記字幕データが付加されておらず文字スーパーが付加されている番組を受信中である場合にも、サイマル放送を判定することができるので、サイマル放送をより確実に判定することができる。
【００１３】
また、前記サイマル放送判定部が、前記固定受信機向け放送の字幕データと前記移動体向け放送の字幕データとの同一性、又は、前記固定受信機向け放送の文字スーパーと前記移動体向け放送の文字スーパーとの同一性を、ユーザに提示する時刻の時点で判定することが望ましい。
【００１４】
また、前記字幕データ又は前記文字スーパーをユーザに提示するためのフォント文字データに変換する変換部を備え、前記サイマル放送判定部が、前記固定受信機向け放送の字幕データと前記移動体向け放送の字幕データとの同一性、又は、前記固定受信機向け放送の文字スーパーと前記移動体向け放送の文字スーパーとの同一性を、前記ユーザに提示するためのフォント文字データを用いて判定することが望ましい。
【００１５】
また、前記サイマル放送判定部が、前記固定受信機向け放送の字幕データと前記移動体向け放送の字幕データとの同一性、又は、前記固定受信機向け放送の文字スーパーと前記移動体向け放送の文字スーパーとの同一性を判定する際に、前記字幕データ又は前記文字スーパーの表示色を比較対象に含めることが望ましい。
【００１６】
また、前記サイマル放送判定部が、前記固定受信機向け放送の字幕データと前記移動体向け放送の字幕データとの同一性、又は、前記固定受信機向け放送の文字スーパーと前記移動体向け放送の文字スーパーとの同一性を、前記固定受信機向け放送と前記移動体向け放送で共通して運用されている文字データのみを用いて判定することが望ましい。
【００１７】
また、前記字幕データも前記文字スーパーも付加されていない番組を受信中である場合には、前記サイマル放送判定部が、前記固定受信機向け放送の電子番組情報の現在番組情報と、前記移動体向け放送の電子番組情報の現在番組情報との同一性によってサイマル放送を判定することが望ましい。
【００１８】
また、電波受信状態を検出する受信状態検出部を備え、前記固定受信機向け放送を受信中に、前記受信状態検出部によって検出された電波受信状態が所定の状態よりも良好でなくなったときに、前記サイマル放送判定部が前記サイマル放送の有無を判定し、前記サイマル放送が無いと判定された場合に、予めユーザによって設定された設定情報に応じた処理を実行することが望ましい。
【００１９】
また、上記目的を達成するために本発明に係るプログラムは、固定受信機向け放送と移動体向け放送の両方を受信することができる放送受信装置に適用されるプログラムであって、字幕データが付加されていない番組を受信中である場合には、前記固定受信機向け放送の字幕データと前記移動体向け放送の字幕データとの同一性によってサイマル放送を判定するステップと、前記字幕データが付加されておらず文字スーパーが付加されている番組を受信中である場合には、前記固定受信機向け放送の文字スーパーと前記移動体向け放送の文字スーパーとの同一性によってサイマル放送を判定するステップとを、コンピュータに実現させる。
【発明の効果】
【００２０】
本発明によると、簡易な構成でサイマル放送をより確実に判定することができる。
【図面の簡単な説明】
【００２１】
【図１】本発明の一実施形態に係る放送受信装置を備える移動体受信システムの構成を示すブロック図である。
【図２】映像音声処理ＩＣの機能構成を示す図である。
【図３】サイマル放送のチャンネルおよび番組の構成例を示す図である。
【図４】サイマル放送における字幕データの表示例を示す図である。
【図５】固定受信機向け放送番組を受信中に電波受信状態が所定の状態よりも良好でない状態になったときの動作例を示すフローチャートである。
【発明を実施するための形態】
【００２２】
本発明の実施形態について図面を参照して以下に説明する。本発明の一実施形態に係る放送受信装置を備える移動体受信システムの構成を図１に示す。
【００２３】
図１に示す移動体受信システム１０は、アンテナ２０と、本発明の一実施形態に係る放送受信装置である放送受信装置３０と、映像表示装置４０とを備えている。放送受信装置３０は、チューナ回路部３１と、デジタル復調ＩＣ（Integrated Circuit）３２を有するデジタル復調回路部３３と、映像音声処理ＩＣ３４、映像音声処理メモリ３５、及びプログラム用メモリ３６を有するデジタル回路部３７と、映像音声出力回路３８と、電源回路３９とを備えている。また、映像表示装置４０は、表示処理部４１と、音声処理部４２とを備えている。
【００２４】
アンテナ２０は、受信した放送電波に応じた高周波信号をチューナ回路部３１に送出する。チューナ回路部３１は、アンテナ２０から送られてくる高周波信号を選局チャンネルに応じた局部発振周波数の局部発振信号と混合して中間周波信号（ＩＦ信号）に変換し、そのＩＦ信号をデジタル復調ＩＣ３２に送出する。デジタル復調ＩＣ３２は、チューナ回路部３１から送られてくるＩＦ信号をデジタル復調してＭＰＥＧ―ＴＳ信号に変換し、そのＭＰＥＧ―ＴＳ信号を映像音声処理ＩＣ３４に送出する。映像音声処理ＩＣ３４は、映像音声処理用メモリ３５およびプログラム用メモリ３６を用いて、デジタル復調ＩＣ３２から送られてくるＭＰＥＧ―ＴＳ信号に対して伸長処理などの所定の映像処理および音声処理を施して映像信号および音声信号を生成し、その生成した映像信号および音声信号を映像音声出力回路３８に送出する。映像音声出力回路３８は、映像音声処理ＩＣ３４から送られてくる映像信号および音声信号に対して増幅処理などの所定の処理を施して映像出力信号および音声出力信号を生成し、映像出力信号を映像表示装置４０の表示処理部４１に送出し、音声出力信号を映像表示装置４０の音声処理部４２に送出する。映像表示装置４０の表示処理部４１は、放送受信装置３０の映像音声出力回路３８から送られてくる映像出力信号に応じた映像を表示し、映像表示装置４０の音声処理部４２は、放送受信装置３０の映像音声出力回路３８から送られてくる音声出力信号に応じた音声を出力する。これにより、ユーザは所望チャンネルの放送番組を視聴することができる。
【００２５】
映像音声処理ＩＣ３４は、プログラム用メモリ３６に予め格納されているプログラムを実行することにより、図２に示すような機能構成になる。すなわち、映像音声処理ＩＣ３４は、チューナ制御部１００と、受信状態検出部１０１と、受信放送選択制御部１０２と、固定受信機向け放送受信制御部１０３と、固定受信機向け放送字幕データ・文字スーパー制御部１０４と、移動体向け放送受信制御部１０５と、移動体向け放送字幕データ・文字スーパー制御部１０６と、ＤＥＭＵＸ１０７と、映像・音声制御部１０８と、サイマル放送判定部１０９と、出力制御部１１０と、固定受信機向け放送番組情報制御部１１１と、移動体向け放送番組情報制御部１１２とを備えることになる。
【００２６】
チューナ制御部１００はチューナ回路部３１（図１参照）を制御する。デジタル復調ＩＣ３２（図１参照）から送られてくるＭＰＥＧ―ＴＳ信号は、映像、音声、字幕等その他の情報で構成されており、ＤＥＭＵＸ１０７によるフィルタリングで必要な情報を取り出すことが可能である。
【００２７】
固定受信機向け放送受信制御部１０３は、固定受信機向け放送を受信するための制御を行っており、必要な指示をＤＥＭＵＸ１０７に出すことで、固定受信機向け放送を受信している。これに対して、移動体向け放送受信制御部１０５は、移動体向け放送を受信するための制御を行っており、必要な指示をＤＥＭＵＸ１０７に出すことで、移動体向け放送を受信している。
【００２８】
固定受信機向け放送字幕データ・文字スーパー制御部１０４は、固定受信機向け放送受信制御部１０３から固定受信機向け放送字幕データを取得してサイマル放送判定部１０９に送出する。これに対して、移動体向け放送字幕データ・文字スーパー制御部１０６は、移動体向け放送受信制御部１０５から移動体向け放送字幕データを取得してサイマル放送判定部１０９に送出する。なお、文字スーパーを取り出す処理は、上述した放送字幕データを取り出す処理と同様の処理となる。
【００２９】
ここで、字幕データとは、番組コンテンツと同期した字幕サービスのことであり、例えば映画の字幕などが該当する。これに対して、文字スーパーとは、番組コンテンツと同期していない字幕サービスのことであり、例えばニュース速報などが該当する。現在日本国内の移動体向け放送では文字スーパーは運用されていないが、今後運用されることも考えられ、海外でも同様に今後運用される可能性がある。文字スーパーは、上述したように番組コンテンツと同期していない字幕サービスであるが、同じ番組では同一の文字スーパーを実施することが考えられる。
【００３０】
固定受信機向け放送番組情報制御部１１１は、固定受信機向け放送受信制御部１０３から固定受信機向け放送の電子番組情報を取得してその電子番組情報の中から現在番組情報（ＥＩＴ−ｐ／ｆ）のみを抽出してサイマル放送判定部１０９に送出する。これに対して、移動体向け放送番組情報制御部１１２は、移動体向け放送受信制御部１０５から移動体向け放送の電子番組情報を取得してその電子番組情報の中から現在番組情報（ＥＩＴ−ｐ／ｆ）のみを抽出してサイマル放送判定部１０９に送出する。なお、ＲＯＭ容量を削減する観点から、固定受信機向け放送番組情報制御部１１１、移動体向け放送番組情報制御部１１２、およびサイマル放送判定部１０９において、現在番組情報（ＥＩＴ−ｐ／ｆ）はＲＯＭに保存せず、不要となった時点で破棄することが望ましい。
【００３１】
サイマル放送判定部１０９は、固定受信機向け放送字幕データ・文字スーパー制御部１０４から送られてくる字幕データと、移動体向け放送字幕データ・文字スーパー制御部１０６から送られてくる字幕データとの同一性を判定し、その判定結果に基づいてサイマル放送が放送されているチャンネルを探す。また、字幕データが付加されていない番組を放送受信装置３０が受信中である場合、サイマル放送判定部１０９は、固定受信機向け放送字幕データ・文字スーパー制御部１０４から送られてくる文字スーパーと、移動体向け放送字幕データ・文字スーパー制御部１０６から送られてくる文字スーパーとの同一性を判定し、その判定結果に基づいてサイマル放送が放送されているチャンネルを探す。また、字幕データも文字スーパーも付加されていない番組を放送受信装置３０が受信中である場合、サイマル放送判定部１０９は、固定受信機向け放送番組情報制御部１１１から送られてくる現在番組情報と、移動体向け放送番組情報制御部１１２から送られてくる現在番組情報とを用いて、番組内容（例えば、少なくとも放送番組名、放送ジャンル、放送時間の内の何れか一つ）の同一性を判定し、その判定結果に基づいてサイマル放送が放送されているチャンネルを探す。
【００３２】
受信状態検出部１０１は、パケットエラー率等の電波受信状態を示すパラメータを算出し、そのパラメータを受信放送選択制御部１０２に送出する。受信放送選択制御部１０２は、受信状態検出部１０１から送られてくるパケットエラー率等の電波受信状態を示すパラメータを用いて、電波受信状態が所定の状態よりも良好であるか否かを判定する。
【００３３】
電波受信状態が所定の状態よりも良好であれば、受信放送選択制御部１０２は、固定受信機向け放送受信制御部１０３からの出力が映像・音声制御部１０８、出力制御部１１０で順に処理されるように、固定受信機向け放送受信制御部１０３を制御する。これにより、放送受信装置３０は固定受信機向け放送を受信することになる。これに対して、電波受信状態が所定の状態よりも良好でなければ、受信放送選択制御部１０２は、サイマル放送判定部１０９よりサイマル放送のチャンネル情報を取得し、固定受信機向け放送とサイマル放送関係にある移動体向け放送を放送受信装置３０が受信するように、チューナ制御部１００および移動体向け放送受信制御部１０５を制御する。上述した受信放送選択制御部１０２の制御により、ユーザは受信状態が変化したような状況下でも、同じ番組を継続して視聴する事が可能となる。
【００３４】
次に、サイマル放送について図３に示す例を参照して説明する。日本国内の地上デジタル放送を例にとると、０１１〜１２８ｃｈが固定受信機向け放送のチャンネルであり、６１１〜７２８ｃｈが移動体向け放送のチャンネルとなっている。
【００３５】
図３に示す例では、０１１〜０１３ｃｈが第１の放送局の固定受信機向け放送チャンネルであり、０２１〜０２３ｃｈが第２の放送局の固定受信機向け放送チャンネルであり、０４１と０４２ｃｈが第３の放送局の固定受信機向け放送チャンネルであり、６１１ｃｈが第１の放送局の移動体向け放送チャンネルであり、６２１ｃｈと６２２ｃｈが第２の放送局の移動体向け放送チャンネルであり、６４１ｃｈが第３の放送局の移動体向け放送チャンネルであるものとする。また、図３に示す例では、同一の放送局内でサイマル放送が実施されている。具体的には、第１の放送局の０１１〜０１３ｃｈで放送されている番組Ａのサイマル放送が第１の放送局の６１１ｃｈで放送され、第２の放送局の０２１ｃｈと０２２ｃｈで放送されている番組Ｂのサイマル放送が第２の放送局の６２２ｃｈで放送され、第２の放送局の０２３ｃｈで放送されている番組Ｃのサイマル放送が第２の放送局の６２１ｃｈで放送され、第３の放送局の０４１ｃｈと０４２ｃｈで放送されている番組Ｄのサイマル放送が第３の放送局の６４１ｃｈで放送されている。なお、第２の放送局のように、同じ放送局内でも固定受信機向け放送と移動体向け放送とで、各番組に対応する番組のチャンネル順序が入れ替わることがある。したがって、上述したサイマル放送判定部１０９での判定は有用である。
【００３６】
次に、字幕データについて詳述に説明するが、字幕データと文字スーパーとは基本的に同じ仕組みで運用されるため、以下の説明は文字スーパーの運用と特に矛盾しない限り、文字スーパーにも適用される。また、以下の説明は電子番組情報の運用と特に矛盾しない限り、現在番組情報を用いた番組内容（例えば、少なくとも放送番組名、放送ジャンル、放送時間の内の何れか一つ）の同一性判定の際にも適用される。
【００３７】
字幕データの表示について図４に示す例を参照して説明する。固定受信機向け放送番組では、字幕データの表示位置は放送局側から指定され、それぞれの文字が決まった位置に表示される。これに対して、移動体向け放送番組では、字幕の表示位置に関する情報が放送電波に含まれておらず、受信機が字幕データの表示位置を決定して良いことになっており、各社の製品仕様によって字幕データの表示位置が決められている。したがって、サイマル放送であっても、図４に示す例のように、固定受信機向け放送番組と移動体向け放送番組とで、字幕データの表示位置Ｐが異なる事態が生じ得る。このことから、サイマル放送判定部１０９は、字幕データの同一性判定において、字幕データの表示位置を用いないようにしている。
【００３８】
また、ビットマップデータ（ＤＲＣＳ）などは、固定受信機向け放送番組の字幕データでは数多く使用する事ができるが、移動体向け放送番組の字幕データでは数が制限されている。また、アンダーラインや囲み文字のように固定受信機向け放送でのみ運用されるものもある。したがって、サイマル放送であっても、固定受信機向け放送番組と移動体向け放送番組とで、字幕データの内容が一部異なる事態が生じ得る。このことから、サイマル放送判定部１０９は、字幕データの同一性判定において、ビットマップデータ（ＤＲＣＳ）や文字装飾を用いないようにし、固定受信機向け放送と移動体向け放送で共通して運用されている文字データのみを用いることが望ましい。
【００３９】
字幕データでの文字データは、ＡＲＩＢ ＳＴＤ Ｂ５、Ｂ２４にて規定された文字コードで放送されているが、固定受信機向け放送と移動体向け放送とでは、文字コードが異なるため、同じ「あ」という文字を表現するデータも同一でないことがある。例えば、固定受信機向け放送では、「あ」という文字をＡ４ｈ−Ａ２ｈの２バイトの文字データで表現し、移動体向け放送では、２４ｈ−２２ｈの２バイトの文字データで表現した場合、単純な比較はできない。しかし、通常、画面に表示する場合などにおいて、上記ＡＲＩＢ ＳＴＤ Ｂ５、Ｂ２４にて規定された文字コードの文字データをＯＳＤ（On Screen Display）用のフォント文字データに変換することが固定受信機向け放送番組の受信、移動体向け放送番組の受信に依らず必要である。このフォント文字データでは「あ」という文字を表現するデータは、固定受信機向け放送でも移動体向け放送でも同じである。このことから、サイマル放送判定部１０９は、字幕データの同一性判定において、ユーザに提示するためのフォント文字データを用いることが望ましい。
【００４０】
また、字幕データが放送から取得出来た時刻と、実際にユーザに提示（表示）する時刻（ＰＴＳ：Presentation Time Stamp）とは、数百ミリ秒程度ずれることがあり、放送から取得出来た時点で字幕データの同一性判定を実行した場合、正常に判定できないおそれがある。このことから、サイマル放送判定部１０９は、実際にユーザに提示する時刻（ＰＴＳ）の時点で、字幕データの同一性判定を実行することが望ましい。放送から字幕データを取得できる時刻は固定受信機向け放送と移動体向け放送とで異なっていても、ユーザに提示する時刻は番組コンテンツと同期しているため、固定受信機向け放送と移動体向け放送とで状態をそろえて比較することができる。
【００４１】
また、字幕放送では、その言葉を発言している人毎に字幕の表示色を変えることが、比較的頻繁に実施され、かつ、固定受信機向け放送および携帯受信機向け放送の両方で実施されている。このことから、サイマル放送判定部１０９は、字幕データの同一性判定において、字幕データの表示色も比較対象に加えることが望ましい。
【００４２】
次に、サイマル放送判定部１０９においてサイマル放送が無いと判定された場合の処理について説明する。サイマル放送判定部１０９においてサイマル放送が無いと判定された場合にどのような処理を実行するかをあらかじめユーザがメニュー等で設定しておくことで、固定受信機向け放送番組を受信中に電波受信状態が所定の状態よりも良好でない状態になりその状態においてサイマル放送が無いと判定される度にユーザ操作を必要とすることなく、ユーザの意図に沿った処理を実行することができる。
【００４３】
具体的には、電波受信状態が所定の状態よりも良好でない状態になりサイマル放送が無いと判定された場合、予めユーザによって設定された設定情報に従って以下の（１）〜（３）のいずれかの処理を選択して実行するようにすればよい。
（１）固定受信機向け放送から移動体向け放送への切り換えを実施せず、受信できない旨のメッセージをユーザに提示する処理
（２）サイマル放送でなくとも、固定受信機向け放送と同一の放送局のデフォルト放送（サービス番号が最小のもの）を受信する処理
（３）放送局単位で予め関連付けられたチャンネルを選局する処理
【００４４】
上記（２）の処理を実行する場合、サイマル放送でないことを示すメッセージをユーザに提示してもよい。また、上記（３）の処理の実行に備えて、例えば、０１１ｃｈに０６２ｃｈを関連付けるような設定情報を予めユーザが入力キー等を操作してメニュー等で設定しておいてもよい。その場合、０１１ｃｈの番組を視聴中に受信状態が悪化し、サイマル放送が無かった場合には、０６２ｃｈを選局するようになる。
【００４５】
なお、固定受信機向け放送番組を受信中に電波受信状態が所定の状態よりも良好でない状態になりその状態においてサイマル放送が無いと判定される度に、サイマル放送が無い旨をユーザに報知し、ユーザに指示を仰ぐ実施形態も考えられるが、例えば車載受信機では運転中などでユーザが受信機を操作できないことが多いため、余り好ましくない。
【００４６】
最後に、放送受信装置３０が固定受信機向け放送番組を受信中に、電波受信状態が所定の状態よりも良好でない状態になったときの動作例について、図５を示すフローチャートを参照して説明する。
【００４７】
放送受信装置３０が固定受信機向け放送番組を受信中に、電波受信状態が所定の状態よりも良好でない状態になると、放送受信装置３０が図５に示すフローチャート動作を開始する。
【００４８】
まず、ステップＳ１０において、字幕データが付加されている番組を受信中であるか否かが判定される。当該判定は、固定受信機向け放送字幕データ・文字スーパー制御部１０４が行ってもよく、サイマル放送判定部１０９が行ってもよい。
【００４９】
字幕データが付加されている番組を受信中である場合（ステップＳ１０のＹＥＳ）、サイマル放送判定部１０９は字幕データの同一性によってサイマル放送を判定し（ステップＳ２０）、その後ステップＳ６０に移行する。
【００５０】
一方、字幕データが付加されていない番組を受信中である場合（ステップＳ１０のＮＯ）、文字スーパーが付加されている番組を受信中であるか否かが判定される（ステップＳ３０）。当該判定は、固定受信機向け放送字幕データ・文字スーパー制御部１０４が行ってもよく、サイマル放送判定部１０９が行ってもよい。
【００５１】
字幕データが付加されておらず文字スーパーが付加されている番組を受信中である場合（ステップＳ３０のＹＥＳ）、サイマル放送判定部１０９は文字スーパーの同一性によってサイマル放送を判定し（ステップＳ４０）、その後ステップＳ６０に移行する。
【００５２】
一方、字幕データも文字スーパーも付加されていない番組を受信中である場合（ステップＳ３０のＮＯ）、サイマル放送判定部１０９は現在番組情報の同一性によってサイマル放送を判定し（ステップＳ５０）、その後ステップＳ６０に移行する。
【００５３】
そして、ステップＳ６０において、サイマル放送判定部１０９は、サイマル放送の有無を判定する。サイマル放送があれば（ステップＳ６０のＹＥＳ）、サイマル放送に切り換えられ（ステップＳ７０）、図５に示すフローチャート動作を終了する。一方、サイマル放送がなければ（ステップＳ６０のＮＯ）、設定に従って上述した（１）〜（３）のいずれかの処理を選択して実行し（ステップＳ８０）、図５に示すフローチャート動作を終了する。
【００５４】
なお、放送受信装置３０が図５に示すフローチャート動作以外の動作を行ってもよい。例えば、電波受信状態が良好な状態で、図５に示すステップＳ６０のサイマル放送の有無判定を常に実施しておき、電波受信状態の悪化に迅速に対応することも可能である。
【符号の説明】
【００５５】
１０  移動体受信システム
２０  アンテナ
３０  放送受信装置
３１  チューナ回路部
３２  デジタル復調ＩＣ
３３  デジタル復調回路部
３４  映像音声処理ＩＣ
３５  映像音声処理メモリ
３６  プログラム用メモリ
３７  デジタル回路部
３８  映像音声出力回路
３９  電源回路３９
４０  映像表示装置
４１  表示処理部
４２  音声処理部
１００  チューナ制御部
１０１  受信状態検出部
１０２  受信放送選択制御部
１０３  固定受信機向け放送受信制御部
１０４  固定受信機向け放送字幕データ・文字スーパー制御部
１０５  移動体向け放送受信制御部
１０６  移動体向け放送字幕データ・文字スーパー制御部
１０７  ＤＥＭＵＸ
１０８  映像・音声制御部
１０９  サイマル放送判定部
１１０  出力制御部
１１１  固定受信機向け放送番組情報制御部
１１２  移動体向け放送番組情報制御部
【図１】
2012085076.tif 000003
【図２】
2012085076.tif 000004
【図３】
2012085076.tif 000005
【図４】
2012085076.tif 000006
【図５】
2012085076.tif 000007